(57)【要約】【課題】グランドを確実に取ることができるフレキシブルプリント基板及び電子機器を提供すること。【解決手段】フレキシブルプリント基板５０は、配線パターン５０ｃが形成されてなる第１の層５０ａと、第１の層５０ａに積層配設されると共に、基準電位（回路基板７０）と電気的に接続されるグランド部５０ｄが形成されてなる第２の層５０ｂと、から構成される。また、コネクタ部１００に係る第２の層５０ｂの表面には、グランド部５０ｄを一定方向に所定幅で剥離し、一定方向を軸にして第２の層５０ｂが互いに対向する方向に折り曲げ可能に折曲部１００ａが形成され、当該折曲部１００ａの形成に伴い、折曲部１００ａを挟んでグランド部５０ｆと電気的に隔離された部分の所定位置に導電性の導電部１００ｂが形成される。【選択図】図６
2008300576.tif 000002
【特許請求の範囲】
【請求項１】
配線パターンが形成された第１の層と、
前記第１の層に積層配設されると共に、基準電位と電気的に接続されるグランド部が形成された第２の層と、
前記第２の層が互いに対向する方向に折り曲げ可能に構成される折曲部と、を有し、
前記第２の層には、前記折曲部を挟んで前記グランド部と電気的に隔離されて配置される導電性の導電部が形成され、
前記導電部は、前記折曲部が折り曲げられたときに、前記グランド部と電気的に接続される、ことを特徴とするフレキシブルプリント基板。
【請求項２】
前記導電部は、前記折曲部が折り曲げられたときに、前記グランド部と当接することにより前記グランド部と電気的に接続されることを特徴とする請求項１記載のフレキシブルプリント基板。
【請求項３】
前記導電部と前記グランド部とは、前記折曲部が折り曲げられたときに、導電部材を介して電気的に接続されることを特徴とする請求項１記載のフレキシブルプリント基板。
【請求項４】
筐体と、
前記筐体内に配設される前記請求項１乃至３のいずれか１項に記載の前記フレキシブルプリント基板と、を有することを特徴とする電子機器。
【請求項５】
前記筐体内に配設されると共に、前記フレキシブルプリント基板と接続される第１のコネクタが実装される回路基板を有し、
前記フレキシブルプリント基板は、前記第１の層に形成されている前記配線パターンに接続されると共に、前記回路基板の前記第１のコネクタと接続される第２のコネクタを有し、
前記第１のコネクタと前記第２のコネクタは、前記折曲部が折り曲げられた状態において接続されることを特徴とする前記請求項４記載の電子機器。
【請求項６】
前記筐体内において、前記フレキシブルプリント基板と前記回路基板とがそれぞれ所定の場所に固定して配置されることを特徴とする請求項５記載の電子機器。
【発明の詳細な説明】
【技術分野】
【０００１】
本発明は、フレキシブルプリント基板及び当該フレキシブルプリント基板を有する電子機器に関する。
【背景技術】
【０００２】
電子機器においては、配線部品としてフレキシブルプリント基板（ＦＰＣ、Ｆｌｅｘｉｂｌｅ  Ｐｒｉｎｔｅｄ  Ｃｉｒｃｕｉｔｓ）が利用されている。
【０００３】
フレキシブルプリント基板は、立体的な配線やプリント基板に用いられており、例えば、主基板から離れた液晶ディスプレイ等の部品に電気信号を伝送する配線や、空間的制約のために配線や基板を曲げる必要がある箇所等に用いられている（例えば、特許文献１を参照。）。
【０００４】
また、フレキシブルプリント基板には、２層により構成されているものが知られているが、この場合、一方の層に部品の実装が行われ、他方の層に配線パターンが形成される場合がある。この一方の層に実装される部品としては、例えば、キースイッチが椀状に湾曲して立体的に形成された金属板のメタルドームや、キースイッチを裏面から照射するＬＥＤ（Ｌｉｇｈｔ  Ｅｍｉｔｔｉｎｇ  Ｄｉｏｄｅ）等がある。また、フレキシブルプリント基板は、回路基板等と電気的に接続するためのコネクタを有している。
【０００５】
ここで、コネクタに係る部分を回路基板等に接続する際に、回路基板等との配置的な関係等の理由により、コネクタに係る部分を一定方向に二つ折りにする場合がある。
【０００６】
また、フレキシブルプリント基板は、配線部分からノイズが放射されやすく、特に配線の密集する部分では、ノイズの放射が顕著となる。そこで、配線の密集する部分の裏面全体にグランド部を形成し、ノイズの放射を抑えている場合がある。
【特許文献１】特開平１１−３０６８６９号公報
【発明の開示】
【発明が解決しようとする課題】
【０００７】
しかし、コネクタに係る部分を一定方向に二つ折りにする場合、その折曲部にグランド部が形成されていると、折り曲げにくくなる。そこで、この折り曲げにくさを抑制すべく折曲部にはグランド部を形成しないようにすることも考えられる。ところが、このような場合、折曲部にはグランド部が形成されないため、折曲部は、完全なグランドが確保されず、ノイズの抑制が困難となる。
【０００８】
さらに、折曲部では、信号の反射が起こるため、ノイズの放射が大きい傾向にある。
【０００９】
そこで、本発明は、上述のような課題に鑑みてなされたものであり、その目的の一つは、折曲部にグランドを形成しない構造であっても、折曲部からのノイズの放射を好適に抑制できるフレキシブルプリント基板及び電子機器を提供することにある。
【課題を解決するための手段】
【００１０】
本発明に係るフレキシブルプリント基板は、上記課題を解決するために、配線パターンが形成された第１の層と、前記第１の層に積層配設されると共に、基準電位と電気的に接続されるグランド部が形成された第２の層と、前記第２の層が互いに対向する方向に折り曲げ可能に構成される折曲部と、を有し、前記第２の層には、前記折曲部を挟んで前記グランド部と電気的に隔離されて配置される導電性の導電部が形成され、前記導電部は、前記折曲部が折り曲げられたときに、前記グランド部と電気的に接続される、ことを特徴とする。
【００１１】
また、上記フレキシブルプリント基板では、前記導電部は、前記折曲部が折り曲げられたときに、前記グランド部と当接することにより前記グランド部と電気的に接続されることが好ましい。
【００１２】
また、上記フレキシブルプリント基板では、前記導電部と前記グランド部とは、前記折曲部が折り曲げられたときに、導電部材を介して電気的に接続されることが好ましい。
【００１３】
また、本発明に係る電子機器は、上記課題を解決するために、筐体と、前記筐体内に配設される前記フレキシブルプリント基板と、を有することを特徴とする。
【００１４】
また、上記電子機器では、前記筐体内に配設されると共に、前記フレキシブルプリント基板と接続される第１のコネクタが実装される回路基板を有し、前記フレキシブルプリント基板は、前記第１の層に形成されている前記配線パターンに接続されると共に、前記回路基板の前記第１のコネクタと接続される第２のコネクタを有し、前記第１のコネクタと前記第２のコネクタは、前記折曲部が折り曲げられた状態において接続されることが好ましい。
【００１５】
また、上記電子機器では、前記筐体内において、前記フレキシブルプリント基板と前記回路基板とがそれぞれ所定の場所に固定して配置されることが好ましい。
【発明の効果】
【００１６】
本発明によれば、フレキシブルプリント基板全体において、グランドを確実に取ることができる。
【発明を実施するための最良の形態】
【００１７】
図１は、本発明に係る外部機器（基地局）と通信を行う電子機器の一例である携帯電話装置１の外観斜視図を示す。
【００１８】
携帯電話装置１は、表面がフロントケース２ａとリアケース２ｂにより構成される操作部側筐体部２と、表面がフロントパネル３ａとリアパネル３ｂにより構成される表示部側筐体部３と、を備えて構成される。操作部側筐体部２は、フロントケース２ａ表面に、操作ボタン群１１と、携帯電話装置１の使用者が通話時に発した音声が入力される音声入力部１２とが露出するように構成される。また、操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５と、から構成されている。また、操作部側筐体部２の側面には、外部機器（例えば、ホスト装置）と通信を行うためのインターフェースを覆うキャップ１６が設けられている。
【００１９】
また、表示部側筐体部３は、フロントパネル３ａに、各種情報を表示するためのディスプレイ２１と、通話の相手側の音声を出力する音声出力部２２とが露出するように構成される。
【００２０】
また、操作部側筐体部２の上端部と表示部側筐体部３の下端部とは、図１に示すように、ヒンジ機構４を介して連結されている。また、携帯電話装置１は、ヒンジ機構４を介して連結された操作部側筐体部２と表示部側筐体部３とを相対的に動かすことにより、操作部側筐体部２と表示部側筐体部３とが互いに開いた状態（開放状態）にしたり、操作部側筐体部２と表示部側筐体部３とを折り畳んだ状態（折畳み状態）にしたりできる。なお、本実施形態において、ヒンジ機構４による折り畳み式の携帯電話装置１の説明をしているが、折り畳み式ではなく、両筐体２、３を重ね合わせた状態から一方の筐体を一方向にスライドさせるようにしたスライド式や、重ね合せ方向に沿う軸線を中心に一方の筐体を回転させるようにした回転式や、両筐体２、３を２軸ヒンジを介して連結したもの、さらには、操作部側筐体部２と表示部側筐体部３とが一つの筐体に配置されたもの（いわゆる、ストレートタイプ）でもよい。
【００２１】
また、図２は、操作部側筐体部２に内蔵される部材の分解斜視図である。
【００２２】
図２に示すように、操作部側筐体部２は、フロントケース２ａと、上述した操作ボタン群１１を構成するキーシート４０と、フレキシブルプリント基板５０と、シールドケース６０と、基準電位が形成されている層及び携帯電話機用のＲＦ（Ｒａｄｉｏ  Ｆｒｅｑｕｅｎｃｙ）モジュール等の各種電子部品を備える回路基板７０と、リアケース２ｂと、バッテリ８０と、バッテリリッド９０とが、積層的に配置されて構成される。また、バッテリ８０は、リアケース２ｂの外側から装脱可能に収納され、バッテリリッド９０により覆われる。
【００２３】
また、フロントケース２ａとリアケース２ｂとは、互いの凹状の内側面が向き合うように配置され、互いの外周縁が重なり合うようにして結合される。また、フロントケース２ａとリアケース２ｂとの間には、キーシート４０と、フレキシブルプリント基板５０と、シールドケース６０と、回路基板７０とが挟まれるようにして内蔵される。つまり、回路基板７０を覆うようにしてシールドケース６０が積層配置され、また、シールドケース６０の上面側にフレキシブルプリント基板５０が積層配置され、また、フレキシブルプリント基板５０の上面にキーシート４０が積層配置される。
【００２４】
また、回路基板７０とシールドケース６０とは、複数の連結部において着脱可能に部分的に固定される。また、回路基板７０には、各種電子部品が配置される。各種電子部品は、電子部品同士の所定の組み合わせにより複数の回路ブロックを形成する。例えば、無線回路、電源回路、デジタル回路等を含む各種回路ブロックが形成される。
【００２５】
また、シールドケース６０は、薄型の直方体における一の広い面が開口した形状を有する金属製の部材である。なお、シールドケース６０は、金属により形成する以外に、骨格を樹脂により形成し、その表面に導体膜を形成したものでもよい。
【００２６】
フレキシブルプリント基板５０は、フロントケース２ａ側の面に複数のキースイッチ５１、５２、５３を有し、シールドケース６０における平板部４２に載置される。なお、フレキシブルプリント基板５０の詳細については後述する。
【００２７】
キーシート４０は、シリコンゴム製のシート４１の表面に操作ボタン群１１が接着剤により貼り付けられて構成される。キーシート４０における操作ボタン群１１を構成する機能設定操作ボタン１３、入力操作ボタン１４及び決定操作ボタン１５は、フレキシブルプリント基板５０におけるキースイッチ５１、５２、５３と対向する位置に配置されると共に、後述するフロントケース２ａに形成されるキー孔から露出するように配置される。
【００２８】
フロントケース２ａには、携帯電話装置１を折り畳んだ状態で表示部側筐体部３のディスプレイ２１と対向する内側面に、キー孔が複数形成される。複数のキー孔それぞれからは、キーシート４０上に形成される機能設定操作ボタン１３、入力操作ボタン１４及び決定操作ボタン１５の押圧面が露出する。この露出した操作ボタン群１１を構成する機能設定操作ボタン１３、入力操作ボタン１４及び決定操作ボタン１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００２９】
リアケース２ｂの一端側には、図３に示すように、基台６５に収納されたアンテナ６６が配置される。つまり、アンテナ６６は、携帯電話装置１における一端側に配置される。具体的には、アンテナ６６は、携帯電話装置１におけるヒンジ機構４側と反対の端部側に配置される。また、アンテナ６６は、帯状の板金で形成される。
【００３０】
アンテナ６６は、給電端子を介して回路基板７０から給電される。また、アンテナ６６は、フレキシブルプリント基板５０に形成されている配線パターンを介して回路基板７０から給電されると共に、回路基板７０のＲＦモジュール等と接続される。
【００３１】
ここで、フレキシブルプリント基板５０の詳細について説明する。
【００３２】
フレキシブルプリント基板５０は、配線パターン５０ｃが形成されてなる第１の層５０ａと、第１の層５０ａに積層配設されると共に、基準電位（回路基板７０）と電気的に接続されるグランド部５０ｄが形成されてなる第２の層５０ｂと、から構成される（図４を参照）。また、グランド部５０ｄは、後述するように、折曲部１００ａがフレキシブルプリント基板５０に形成されるのに伴い、折曲部１００ａを挟んで一方側のグランド部５０ｅ（メタルドーム等が形成されている側）と、他方側のグランド部５０ｆ（コネクタ部１００が形成されている側）とに分断される。
【００３３】
また、フレキシブルプリント基板５０は、図５に示すように、フロントケース２ａ側の面に複数のキースイッチ５１、５２、５３を有し、シールドケース６０における平板部４２に載置される。フレキシブルプリント基板５０のキースイッチ５１、５２、５３は、椀状に湾曲して立体的に形成された金属板のメタルドームを有する構造になっている。メタルドームは、その椀状形状の頂点が押圧されると、フレキシブルプリント基板５０の表面に印刷された不図示の電気回路に形成されるスイッチ端子に接触して電気的に導通する。なお、フレキシブルプリント基板５０は、複数の絶縁フィルムの間に配線を挟み込んだ柔軟性のある基板である。
【００３４】
また、フレキシブルプリント基板５０は、図５に示すように、一方端側が第１の層５０ａに形成されている配線パターン５０ｃに接続され、他方端側が他の基板（例えば、回路基板７０）のコネクタと接続されるコネクタ部１００を有している。そして、フレキシブルプリント基板５０は、コネクタ部１００が回路基板７０に接続されることにより、回路基板７０の基準電位と導通される。
【００３５】
また、コネクタ部１００に係る第２の層５０ｂの表面には、図６（Ａ）に示すように、グランド部５０ｄを一定方向に所定幅で剥離し、一定方向を軸にして第２の層５０ｂが互いに対向する方向に折り曲げ可能に折曲部１００ａが形成され、当該折曲部１００ａの形成に伴い、折曲部１００ａを挟んでグランド部５０ｆと電気的に隔離された部分の所定位置に導電性の導電部１００ｂが形成される。なお、図６は、図５に示す破線領域１０１を裏面側から見たときの様子を示している。
【００３６】
また、導電部１００ｂは、一定方向Ｘを軸にして折曲部１００ａがＹ方向に折り曲げられたときに、グランド部５０ｆと電気的に接続される（図６（Ｂ）を参照。）。
【００３７】
このように構成されることにより、フレキシブルプリント基板５０が折り曲げられた状態において、グランド部５０ｆと導電部１００ｂとが電気的に接続されるため、グランド部５０ｅのグランド状態が確保される。また、このように、グランド部５０ｅのグランド状態が確保されるので、配線パターン５０ｃから放射されるノイズを好適に低減することができ、さらに、外部から到来するノイズが配線パターンに侵入するのを防ぐこともできる。
【００３８】
また、導電部１００ｂは、一定方向Ｘを軸にして折曲部１００ａがＹ方向に折り曲げられたときに、グランド部５０ｆと当接することにより電気的に接続されることが好ましい。
【００３９】
このように構成されることにより、フレキシブルプリント基板５０が折り曲げられた状態において、直接的な面接触によりグランド部５０ｆと導電部１００ｂとが電気的に接続されるため、グランド部５０ｅのグランド状態が良好に確保される。また、本構成によれば、導電部１００ｂとグランド部５０ｅとの接触について、他の構成要素（例えば、別体の導電部材等）を必要としないため、設計の自由度を向上させることができる。
【００４０】
また、導電部１００ｂとグランド部５０ｆとは、一定方向Ｘを軸として折曲部１００ａがＹ方向に折り曲げられたときに、導電部材１００ｃを介して電気的に接続されることが好ましい（図７（Ａ）を参照。）。
【００４１】
また、折曲部１００ａに導電部材１００ｃを当接させて、一定方向Ｘを軸にしてＹ方向に折り曲げるので、折曲部１００ａの折り曲げ径ｒを、導電部材１００ｃの大きさによって制御することができる。したがって、折り曲げ強度は向上し、さらには配線パターン５０ｃの断線等のおそれは低下する（図７（Ｂ）を参照。）。
【００４２】
また、導電部材１００ｃは、例えば、高さが０．５〜１．０ｍｍ程度の楕円柱又は導体平板である。なお、導電部材１００ｃは、導電性の接着剤で折曲部１００ａに固定されることが望ましい。
【００４３】
また、このような構成によれば、フレキシブルプリント基板５０が折り曲げられた状態において、導電部材１００ｃを介してグランド部５０ｆと導電部１００ｂとが電気的に接続されるため、グランド部５０ｅのグランド状態が良好に確保されるので、フレキシブルプリント基板５０の折り曲げ強度を向上しつつ、折曲部１００ａ周辺から放射されるノイズを低減することができる。
【００４４】
このようにして、本発明に係る携帯電話装置１は、フレキシブルプリント基板５０が折り曲げられた状態で、コネクタ部１００が回路基板７０上のコネクタに接続された際に、グランド部５０ｆと導電部１００ｂとが電気的に接続されるため、フレキシブルプリント基板５０の第２の層５０ｂ全体においてグランド状態を確保することができ、第１の層５０ａの配線パターン５０ｃから放射されるノイズを好適に低減することができ、さらに、外部から到来するノイズが配線パターンに侵入するのを防ぐことができる。
【００４５】
また、本発明に係る携帯電話装置１では、筐体内において、フレキシブルプリント基板５０と回路基板７０とがそれぞれ所定の場所に固定して配置されることにより、フレキシブルプリント基板５０と回路基板７０との相対的な位置関係が固定されることが好ましい。
【００４６】
このような構成によれば、回路基板７０上のコネクタとフレキシブルプリント基板５０のコネクタ部１００とが接続された状態においては、フレキシブルプリント基板５０の折曲状態が固定されるため、グランド部５０ｆと導電部１００ｂとの電気的な接続状態をより強固に維持することができる。
【００４７】
なお、本実施例では、コネクタ部１００に係る部分に折曲部１００ａと導電部１００ｂとが形成されるものとして説明したが、これに限られず、フレキシブルプリント基板５０において折り曲げられる場所ならどこに採用されてもよい。
【図面の簡単な説明】
【００４８】
【図１】本発明に係る携帯電話装置の外観を示す斜視図である。
【図２】操作部側筐体部に内蔵される部材の分解斜視図である。
【図３】操作部側筐体部のリアケースを側面から透過したときの図である。
【図４】フレキシブルプリント基板を構成する第１層と第２層を模式的に示す図である。
【図５】フレキシブルプリント基板の平面図である。
【図６】コネクタ部の構成を示す図である。
【図７】導電部材を用いてコネクタ部を折り曲げたときの様子を示す図である。
【符号の説明】
【００４９】
１  携帯電話装置
２  操作部側筐体部
５０  フレキシブルプリント基板
５０ａ  第１の層
５０ｂ  第２の層
５０ｃ  配線パターン
５０ｄ、５０ｅ、５０ｆ  グランド部
７０  回路基板
１００  コネクタ部
１００ａ  折曲部
１００ｂ  導電部
１００ｃ  導電部材
【図１】
2008300576.tif 000003
【図２】
2008300576.tif 000004
【図３】
2008300576.tif 000005
【図４】
2008300576.tif 000006
【図５】
2008300576.tif 000007
【図６】
2008300576.tif 000008
【図７】
2008300576.tif 000009